(57)【要約】【課題】原稿画像を読み取り、取得した画像データのメモリからのオーバフローを防止すると共に、メモリ資源を有効に利用する画像読取記録装置を提供する。【解決手段】読み取り対象である原稿画像のサイズ及び該原稿画像がカラー画像であるか白黒画像であるかに基づき、第１画像メモリ１４に記憶される読み取り対象の原稿画像の枚数を決定し、決定された枚数に基づき、制御部１０が、取得した画像データの第１画像メモリ１４への記憶を制御する。また、読み取り対象である原稿画像のサイズ及び変更される解像度に基づき、第２画像メモリ１６に記憶される読み取り対象の原稿画像の枚数を決定し、決定された枚数に基づき、制御部１０が、取得し、又は解像度を変更された画像データの第２画像メモリ１６への記憶を制御する。【選択図】        図１
2004159002.tif 000002
【特許請求の範囲】
【請求項１】
複数枚の原稿画像を読み取り、取得した画像データを順次記憶する記憶手段と、該記憶手段に記憶してある画像データに基づく画像を記録シートに記録する記録手段とを備える画像読取記録装置において、
前記原稿画像が、カラー画像であるか白黒画像であるかを判別する判別手段と、
該判別手段の判別結果に基づき、前記記憶手段に記憶される読み取り対象の原稿画像の枚数を決定する決定手段と、
該決定手段により決定された枚数に基づき、取得した前記画像データの前記記憶手段への記憶を制御する制御手段とを備えることを特徴とする画像読取記録装置。
【請求項２】
複数枚の原稿画像を読み取り、取得した画像データを順次記憶する記憶手段と、該記憶手段に記憶してある画像データに基づく画像を記録シートに記録する記録手段とを備える画像読取記録装置において、
複数種類の解像度のうちの一つの解像度を設定する設定手段と、
取得した前記画像データから、前記設定手段により設定された解像度の画像データを生成する生成手段と、
前記設定手段により設定された解像度に基づき、前記記憶手段に記憶される読み取り対象の原稿画像の枚数を決定する決定手段と、
該決定手段により決定された枚数に基づき、前記生成手段により生成された画像データの前記記憶手段への記憶を制御する制御手段とを備えることを特徴とする画像読取記録装置。
【請求項３】
複数枚の原稿画像を読み取り、取得した画像データを順次記憶する記憶手段と、該記憶手段に記憶してある画像データに基づく画像を記録シートに記録する記録手段とを備える画像読取記録装置において、
前記原稿画像のサイズを検知する検知手段と、
該検知手段により検知されたサイズに基づき、前記記憶手段に記憶される読み取り対象の原稿画像の枚数を決定する決定手段と、
該決定手段により決定された枚数に基づき、取得した前記画像データの前記記憶手段への記憶を制御する制御手段とを備えることを特徴とする画像読取記録装置。
【発明の詳細な説明】
【０００１】
【発明の属する技術分野】
本発明は、複数枚の原稿画像を読み取り、取得した画像データを順次記憶し、また、記憶してある画像データに基づく画像を記録シートに記録する画像読取記録装置に関するものである。
【０００２】
【従来の技術】
近年、ファクシミリ装置にプリンタ機能を搭載した複合機が普及しており、このような装置において、プリンタ機能の拡張に伴い、カラー複写機能及びカラーファクシミリ通信機能等も搭載されつつある。
このような装置は、取得した画像データを一旦メモリに記憶し、メモリから読み出した画像データに基づく画像を記録紙等に記録するように構成されており、メモリには、ファクシミリ通信を行うために取得した画像データ及び記録紙等に記録するために取得した画像データ等の種々の画像データが記憶してある。
従って、各画像データのメモリからのオーバーフローを防止すべく、各画像データについて、メモリに格納が可能なデータ量を予め設定しておく構成を有した装置がある（例えば、特許文献１及び２参照）。
【０００３】
【特許文献１】
特開平１１−１７９１３号公報
【特許文献２】
特開平８−１４９２１５号公報
【０００４】
【発明が解決しようとする課題】
しかし、上述した装置では、予め設定されたデータ量に基づき、取得した画像データのメモリへの記憶を制御するため、メモリに十分な空き領域がある場合であっても、設定されたデータ量の画像データしかメモリに格納することができず、メモリ等のハードウェア資源を十分に有効利用することが困難である問題があった。
【０００５】
本発明は斯かる事情に鑑みてなされたものであり、読み取り対象である原稿画像がカラー画像であるか白黒画像であるかに基づき、記憶手段に記憶される読み取り対象の原稿画像の枚数を決定することにより、原稿画像がカラー画像であるか白黒画像であるかに伴い相異する、原稿画像を読み取ることにより取得する画像データのデータ量に基づき、記憶手段への画像データの記憶量を制御する画像読取記録装置を提供することを目的とする。
【０００６】
本発明の他の目的は、設定された解像度に基づき、記憶手段に記憶される読み取り対象の原稿画像の枚数を決定することにより、設定された解像度の相異に伴い相異する、前記生成手段により生成される画像データのデータ量に基づき、記憶手段への画像データの記憶量を制御する画像読取記録装置を提供することにある。
【０００７】
本発明の更に他の目的は、読み取り対象である原稿画像のサイズを検知し、検知されたサイズに基づき、記憶手段に記憶される読み取り対象の原稿画像の枚数を決定することにより、読み取り対象である原稿画像のサイズの相異に伴い相異する、原稿画像を読み取ることにより取得する画像データのデータ量に基づき、記憶手段への画像データの記憶量を制御する画像読取記録装置を提供することにある。
【０００８】
【課題を解決するための手段】
第１発明に係る画像読取記録装置は、複数枚の原稿画像を読み取り、取得した画像データを順次記憶する記憶手段と、該記憶手段に記憶してある画像データに基づく画像を記録シートに記録する記録手段とを備える画像読取記録装置において、前記原稿画像が、カラー画像であるか白黒画像であるかを判別する判別手段と、該判別手段の判別結果に基づき、前記記憶手段に記憶される読み取り対象の原稿画像の枚数を決定する決定手段と、該決定手段により決定された枚数に基づき、取得した前記画像データの前記記憶手段への記憶を制御する制御手段とを備えることを特徴とする。
【０００９】
第１発明による場合は、判別手段が、読み取り対象である原稿画像がカラー画像であるか白黒画像であるかを判別し、この判別手段の判別結果に基づき、決定手段が、記憶手段に記憶される読み取り対象の原稿画像の枚数を決定し、決定された枚数に基づき、制御手段が、取得した画像データの記憶手段への記憶を制御することにより、読み取り対象である原稿画像がカラー画像であるか白黒画像であるかに伴い相異する、原稿画像を読み取ることにより取得する画像データのデータ量に基づき、記憶手段への画像データの記憶量を制御でき、画像データの記憶手段からのオーバフローを防止しつつ、画像データを格納するメモリ等の記憶手段を有効に利用することができる。
【００１０】
第２発明に係る画像読取記録装置は、複数枚の原稿画像を読み取り、取得した画像データを順次記憶する記憶手段と、該記憶手段に記憶してある画像データに基づく画像を記録シートに記録する記録手段とを備える画像読取記録装置において、複数種類の解像度のうちの一つの解像度を設定する設定手段と、取得した前記画像データから、前記設定手段により設定された解像度の画像データを生成する生成手段と、前記設定手段により設定された解像度に基づき、前記記憶手段に記憶される読み取り対象の原稿画像の枚数を決定する決定手段と、該決定手段により決定された枚数に基づき、前記生成手段により生成された画像データの前記記憶手段への記憶を制御する制御手段とを備えることを特徴とする。
【００１１】
第２発明による場合は、設定手段が、複数種類の解像度のうちの一つの解像度を設定し、生成手段が、取得した画像データから、設定された解像度の画像データを生成するように構成されており、設定手段により設定された解像度に基づき、決定手段が、記憶手段に記憶される読み取り対象の原稿画像の枚数を決定し、決定された枚数に基づき、制御手段が、前記生成手段により生成された画像データの記憶手段への記憶を制御することにより、設定された解像度の相異に伴い相異する、前記生成手段により生成される画像データのデータ量に基づき、記憶手段への画像データの記憶量を制御でき、画像データの記憶手段からのオーバフローを防止しつつ、画像データを格納するメモリ等の記憶手段を有効に利用することができる。
【００１２】
第３発明に係る画像読取記録装置は、複数枚の原稿画像を読み取り、取得した画像データを順次記憶する記憶手段と、該記憶手段に記憶してある画像データに基づく画像を記録シートに記録する記録手段とを備える画像読取記録装置において、前記原稿画像のサイズを検知する検知手段と、該検知手段により検知されたサイズに基づき、前記記憶手段に記憶される読み取り対象の原稿画像の枚数を決定する決定手段と、該決定手段により決定された枚数に基づき、取得した前記画像データの前記記憶手段への記憶を制御する制御手段とを備えることを特徴とする。
【００１３】
第３発明による場合は、検知手段が、読み取り対象である原稿画像のサイズを検知し、検知されたサイズに基づき、決定手段が、記憶手段に記憶される読み取り対象の原稿画像の枚数を決定し、決定された枚数に基づき、制御手段が、取得した画像データの記憶手段への記憶を制御することにより、読み取り対象である原稿画像のサイズの相異に伴い相異する、原稿画像を読み取ることにより取得する画像データのデータ量に基づき、記憶手段への画像データの記憶量を制御でき、画像データの記憶手段からのオーバフローを防止しつつ、画像データを格納するメモリ等の記憶手段を有効に利用することができる。
【００１４】
【発明の実施の形態】
以下に、本発明に係る画像読取記録装置を、その実施の形態である複合機に基づいて詳述する。図１は本発明に係る複合機の構成を示すブロック図であり、図中１は複合機を示している。
この複合機１は、制御部１０，ＲＯＭ１１，ＲＡＭ１２，読取部１３，第１画像メモリ（記憶手段）１４，２値化処理部１５，第２画像メモリ（記憶手段）１６，表示部１７，操作部（設定手段）１８，ＮＣＵ（Ｎｅｔｗｏｒｋ  Ｃｏｎｔｒｏｌ  Ｕｎｉｔ）１９，モデム２０，メモリ制御部２１，第１ＣＯＤＥＣ２２，第２ＣＯＤＥＣ２４，記録部（記録手段）２５等を備えており、夫々はシステムバス２６を介して相互に接続されている。
【００１５】
制御部１０は、具体的にはＣＰＵ（Ｃｅｎｔｒａｌ  Ｐｒｏｃｅｓｓｉｎｇ  Ｕｎｉｔ）  等で構成されており、システムバス２６を介して複合機１の上述したようなハードウェア各部を制御すると共に、ＲＯＭ１１に格納されたコンピュータプログラムに従って、種々のソフトウェア的機能を実現する。
ＲＯＭ１１は、本実施の形態に係る複合機１の動作に必要な種々のコンピュータプログラムを記憶している。
ＲＡＭ１２は、ＳＲＡＭ又はフラッシュメモリ等で構成され、制御部１０による各プログラムの実行時に発生するデータを一時的に記憶する。尚、ＲＡＭ１２にフラッシュメモリを使用した場合には、停電，複合機１の移動等のために電源が遮断された場合であっても、記憶内容が失われることはない。
【００１６】
モデム２０は、ファクシミリ通信が可能なファックスモデムで構成されており、ＮＣＵ１９と直接的にも接続されている。ＮＣＵ１９は、公衆電話回線網Ｌと接続されており、必要に応じてモデム２０を公衆電話回線網Ｌと接続し、公衆電話回線網Ｌを介して他のファクシミリ装置との間でのファクシミリ通信を可能としている。
表示部１７は、液晶ディスプレイ（ＬＣＤ）等で構成されており、複合機１の動作状況、操作部１８から入力された文字等を表示する。
操作部１８は、複合機１を操作するために必要なスタートキー等の各種のファンクションキー、原稿画像を読み取る際にカラー画像データとして読み取るモード又は白黒画像データとして読み取るモードを設定するためのモードキー、及び記録紙又はＯＨＰ（Ｏｖｅｒ  Ｈｅａｄ  Ｐｒｏｊｅｃｔｏｒ）  シート等の記録シートに記録する際の解像度を設定するための解像度キーを備えている。尚、表示部１７をタッチパネル方式のものとすることにより、操作部１８の各種のキーのうちの一部又は全部を代用することも可能である。
【００１７】
読取部１３は、例えば、外部から取得した光を電気信号に変換する撮像素子であるＣＣＤ（Ｃｈａｒｇｅ  Ｃｏｕｐｌｅｄ  Ｄｅｖｉｃｅ）  を利用したスキャナにより、原稿画像からの反射光を取得し、Ｒ成分，Ｇ成分及びＢ成分夫々のデジタル信号に変換し、得られた画像データをＤＲＡＭ等により構成される第１画像メモリ１４に記憶させる。
尚、本実施の形態の複合機１では、読取部１３は、上述したように、原稿画像からの反射光を、ＲＧＢ（Ｒ：赤，Ｇ：緑，Ｂ：青）表色系のカラー画像データとして取得する機能と、白黒画像データとして取得する機能とを備えている。
【００１８】
従って、制御部１０は、ユーザにより操作されたモードキーに基づき、いずれのモードにより画像データを取得すべきかを判別する判別手段としても機能している。
尚、ユーザによる入力に基づき、カラー画像データ又は白黒画像データを取得するモードを変更するだけでなく、原稿画像を一旦読み取り、取得した画像データに基づき、当該原稿画像がカラー画像であるか白黒画像であるかを判別する構成とすることもできる。
【００１９】
読取部１３は、制御部１０により判別された各モードに対応する手順にて、画像データを取得し、第１画像メモリ１４に記憶させる。尚、読取部１３は、いずれのモードに設定された場合であっても、例えば８ビットの多値の画像データとして原稿画像からの画像データを取得する。
また、読取部１３は、サイズ検知部１３ａを備えており、サイズ検知部１３ａは、上述のように取得した画像データに基づき、読み取り対象であった原稿画像のサイズを検知する検知手段として動作する。
【００２０】
２値化処理部１５は、第１画像メモリ１４に記憶してある多値の画像データを読み出し、読み出した画像データに含まれる複数の画素データを夫々、所定の閾値と比較することにより２値データに変換し、得られた２値の画像データを第２画像メモリ１６に記憶させる。
尚、第１画像メモリ１４に記憶してある多値の画像データがカラー画像データである場合には、２値化処理部１５は、ＲＧＢ表色系の画像データに対して色変換処理を行い、ＣＭＹＫ（Ｃ：シアン，Ｍ：マゼンタ，Ｙ：イエロー，Ｋ：ブラック）表色系の画像データに変換し、このＣＭＹＫ表色系の画像データに含まれる複数の画素データを夫々、所定の閾値と比較することにより２値データに変換し、得られた２値の画像データを第２画像メモリ１６に記憶させる。
【００２１】
ここで、本実施の形態の２値化処理部１５は、解像度変更部１５ａを備えており、ユーザからの設定により、第１画像メモリ１４から読み出した多値の画像データに対して、まず解像度変更部１５ａにより、各画素データの間引き又は各画素データ間への画素データの追加をすることで、設定された解像度の画像データを生成する生成手段として動作する。その後、生成された画像データに対して、上述した２値化処理を行うことにより、２値の画像データに変換し、第２画像メモリ１６に記憶させる。
【００２２】
また、解像度変換部１５ａにおいても、処理対象である画像データがＲＧＢ表色系のカラー画像データである場合には、各成分毎に解像度変換処理及び２値化処理を行う。
尚、本実施の形態では、読取部１３は、６００ｄｐｉの解像度により原稿画像を読み取るように構成されており、この解像度変更部１５ａは、読取部１３により取得された画像データから、ユーザの設定により、２４００ｄｐｉの解像度の画像データを生成するように構成されている。
従って、操作部１８に備える解像度キーは、６００ｄｐｉ又は２４００ｄｐｉを選択できるように構成されている。
【００２３】
第１ＣＯＤＥＣ２２は、第２画像メモリ１６に記憶してある２値の画像データに対して、所定の符号化処理を行い、符号化された画像データは、メモリ制御部２１の制御に従って、イメージバス２７を介して符号化画像メモリ２３に記憶される。
符号化画像メモリ２３に記憶してある画像データは、メモリ制御部２１の制御に従って、第２ＣＯＤＥＣ２４に読み出され、第２ＣＯＤＥＣ２４にて復号された後、一旦第２画像メモリ１６に記憶される。また、制御部１０の制御により、第２画像メモリ１６から読み出されて記録部２５に入力される。従って、第２画像メモリ１６は、読取部１３により読み取られ、２値化処理部１５により２値化処理を施された画像データと、第２ＣＯＤＥＣ２４により復号された画像データとで共有されることとなる。
【００２４】
記録部２５は、電子写真方式のプリンタ装置であって、記録すべく第２画像メモリ１６に記憶してある画像データを読み出し、読み出された画像データに基づく画像を、ハードコピーとしてＡ３縦，Ｂ４縦，Ａ４縦，Ｂ５横及びＡ５横等の各サイズの記録紙又はＯＨＰ（Ｏｖｅｒ  Ｈｅａｄ  Ｐｒｏｊｅｃｔｏｒ）  シートから最適なサイズのものを選択して記録する。
上述した構成を備える複合機１においては、読取部１３により読み取られる画像データを記憶する第１画像メモリ１４及び第２画像メモリ１６について、画像データのオーバーフローが生じないように制御する必要があり、制御部１０は、各画像データの各メモリへの記憶を制御する制御手段としても機能する。尚、本実施の形態では、制御部１０は、第１画像メモリ１４及び第２画像メモリ１６を夫々の手順にて各別に制御している。
【００２５】
以下に、上述した構成の複合機１において、制御部１０による第１画像メモリ１４のメモリ管理処理について説明する。図２は本発明に係る複合機１による第１画像メモリ１４のメモリ管理処理手順を示すフローチャート、図３は本発明に係る複合機１によるメモリ管理処理を説明するための図である。尚、制御部１０は、第１画像メモリ１４へ記憶させる画像データを制御する場合、読み取り対象である原稿サイズがＡ４以下であるか否か、及びユーザにより設定された、原稿画像を読み取る際のモードに基づき、第１画像メモリ１４に記憶させる読み取り対象の原稿画像の枚数を決定する決定手段として動作し、このように決定された枚数に基づき、第１画像メモリ１４に記憶させる画像データを制御する。
【００２６】
ユーザは、上述した構成の複合機１を用いて原稿画像を複写等するために、複合機１に原稿画像を読み取らせる場合、所定の位置に原稿を載置させ、操作部１８に備えるモードキー及び解像度キーを夫々操作することにより（Ｓ１）、所望するモード及び解像度に設定し、制御部１０は、設定されたモード及び解像度を記憶する。
また、ユーザによりスタートキーがオンされた場合（Ｓ２）、制御部１０は、読取部１３による画像データの読み取りを開始するとともに、第１画像メモリ１４を制御するためのページ数を算出すべく、ページ数を１に設定し（Ｓ３）、自身に備える第１レジスタ（図示せず）に記憶させる。
【００２７】
一方、読取部１３は、最初の１枚分を読み取った時点で、サイズ検知部１３ａにより、読み取り対象である原稿画像の原稿サイズを検知し（Ｓ４）、検知した原稿サイズを制御部１０に報知する。
制御部１０は、読取部１３から報知された原稿サイズが、Ａ４サイズ以下のサイズであるか否かを判断しており（Ｓ５）、Ａ４サイズ以下のサイズであると判断した場合、自身の第１レジスタに記憶してあるページ数を２倍にする（Ｓ６）。これは、図３（ａ）に示すように、第１画像メモリ１４は、Ａ３サイズの画像データの記憶を基準としているため、Ａ４サイズ以下の画像データを記憶する場合には、第１画像メモリ１４に、２倍のページ数の画像データを記憶することができるからである。
【００２８】
次に制御部１０は、ユーザにより設定された、読取部１３により原稿画像を読み取る読取モードが白黒モードであるか否かを判断しており（Ｓ７）、読取モードが白黒モードであると判断した場合、自身の第１レジスタに記憶してあるページ数を３倍にする（Ｓ８）。これは、図３（ｂ）に示すように、第１画像メモリ１４は、Ｒ成分，Ｇ成分及びＢ成分を有するカラーの画像データの記憶を基準としているため、白黒の画像データを記録する場合には、第１画像メモリ１４に、３倍のページ数の画像データを記憶することができるからである。
尚、この時点で前記第１レジスタに記憶してあるページ数が、第１画像メモリ１４に記憶することができるデータ量となり、このページ数に基づき、制御部１０が、第１画像メモリ１４を制御することにより、第１画像メモリ１４からの画像データのオーバーフローを防止しつつ、第１画像メモリ１４が有するメモリ資源を有効に利用することができる。
【００２９】
以下に、上述した構成の複合機１において、制御部１０による第２画像メモリ１６のメモリ管理処理について説明する。図４は本発明に係る複合機１による第２画像メモリ１６のメモリ管理処理手順を示すフローチャートである。尚、制御部１０は、第２画像メモリ１６へ記憶させる画像データを制御する場合、上述した第１画像メモリ１４の制御と同様に、読み取り対象である原稿サイズがＡ４以下であるか否か、及びユーザにより設定された、記録紙に記録する際の解像度に基づき、第２画像メモリ１６に記憶させる読み取り対象の原稿画像の枚数を決定する決定手段として動作し、このように決定された枚数に基づき、第２画像メモリ１６に記憶させる画像データを制御する。尚、本実施の形態では、ユーザにより設定されうる解像度は、６００ｄｐｉ又は２４００ｄｐｉである。
【００３０】
ユーザは、上述した構成の複合機１を用いて原稿画像を複写等するために、複合機１に原稿画像を読み取らせる場合、所定の位置に原稿を載置させ、操作部１８に備えるモードキー及び解像度キーを夫々操作することにより（Ｓ１１）、所望するモード及び解像度に設定し、制御部１０は、設定されたモード及び解像度を記憶する。
また、ユーザによりスタートキーがオンされた場合（Ｓ１２）、制御部１０は、読取部１３による画像データの読み取りを開始するとともに、第１画像メモリ１４を制御するためのページ数を算出すべく、ページ数を１に設定し（Ｓ１３）、自身に備える第２レジスタ（図示せず）に記憶する。
【００３１】
一方、読取部１３は、最初の１枚分を読み取った時点で、サイズ検知部１３ａにより、読み取り対象である原稿画像の原稿サイズを検知し（Ｓ１４）、検知した原稿サイズを制御部１０に報知する。
制御部１０は、読取部１３から報知された原稿サイズが、Ａ４サイズ以下のサイズであるか否かを判断しており（Ｓ１５）、Ａ４サイズ以下のサイズであると判断した場合、自身の第２レジスタに記憶してあるページ数を２倍にする（Ｓ１６）。これは、図３（ａ）に示すように、第１画像メモリ１４と同様に、第２画像メモリ１６は、Ａ３サイズの画像データの記憶を基準としているため、Ａ４サイズ以下の画像データを記憶する場合には、第２画像メモリ１６に、２倍のページ数の画像データを記憶することができるからである。
【００３２】
次に制御部１０は、ユーザにより設定された、記録部２５により記録紙に記録する際の解像度が６００ｄｐｉであるか否かを判断しており（Ｓ１７）、設定された解像度が６００ｄｐｉであると判断した場合、自身の第２レジスタに記憶してあるページ数を４倍にする（Ｓ１８）。これは、図３（ｃ）に示すように、第２画像メモリ１６は、２４００ｄｐｉの解像度の画像データの記憶を基準としているため、解像度が６００ｄｐｉの画像データを記録する場合には、第２画像メモリ１６に、４倍のページ数の画像データを記憶することができるからである。
尚、この時点で前記第２レジスタに記憶してあるページ数が、第２画像メモリ１６に記憶することができるデータ量となり、このページ数に基づき、制御部１０が、第２画像メモリ１６を制御することにより、第２画像メモリ１６からの画像データのオーバーフローを防止しつつ、第２画像メモリ１６が有するメモリ資源を有効に利用することができる。
【００３３】
上述した実施の形態では、複合機１の制御部１０が、第１画像メモリ１４及び第２画像メモリ１６の制御も行う構成について説明しているが、別途にメモリを制御するメモリ制御回路を備え、各別に第１画像メモリ１４及び第２画像メモリ１６を制御する構成とすることもできる。
【００３４】
【発明の効果】
第１発明による場合は、読み取り対象である原稿画像がカラー画像であるか白黒画像であるかを判別し、この判別結果に基づき、記憶手段に記憶される読み取り対象の原稿画像の枚数を決定し、決定された枚数に基づき、取得した画像データの記憶手段への記憶を制御することにより、読み取り対象である原稿画像がカラー画像であるか白黒画像であるかに伴い相異する、原稿画像を読み取ることにより取得する画像データのデータ量に基づき、記憶手段への画像データの記憶量を制御でき、画像データの記憶手段からのオーバフローを防止しつつ、画像データを格納するメモリ等の記憶手段を有効に利用することができる。
【００３５】
第２発明による場合は、複数種類の解像度のうちの一つの解像度を設定し、取得した画像データから、設定された解像度の画像データを生成するように構成されており、設定された解像度に基づき、記憶手段に記憶される読み取り対象の原稿画像の枚数を決定し、決定された枚数に基づき、設定された解像度に生成された画像データの記憶手段への記憶を制御することにより、設定された解像度の相異に伴い相異する、前記生成手段により生成される画像データのデータ量に基づき、記憶手段への画像データの記憶量を制御でき、画像データの記憶手段からのオーバフローを防止しつつ、画像データを格納するメモリ等の記憶手段を有効に利用することができる。
【００３６】
第３発明による場合は、読み取り対象である原稿画像のサイズを検知し、検知されたサイズに基づき、記憶手段に記憶される読み取り対象の原稿画像の枚数を決定し、決定された枚数に基づき、取得した画像データの記憶手段への記憶を制御することにより、読み取り対象である原稿画像のサイズの相異に伴い相異する、原稿画像を読み取ることにより取得する画像データのデータ量に基づき、記憶手段への画像データの記憶量を制御でき、画像データの記憶手段からのオーバフローを防止しつつ、画像データを格納するメモリ等の記憶手段を有効に利用することができる。
【図面の簡単な説明】
【図１】本発明に係る複合機の構成を示すブロック図である。
【図２】本発明に係る複合機による第１画像メモリのメモリ管理処理手順を示すフローチャートである。
【図３】本発明に係る複合機によるメモリ管理処理を説明するための図である。
【図４】本発明に係る複合機による第２画像メモリのメモリ管理処理手順を示すフローチャートである。
【符号の説明】
１  複合機（画像読取記録装置）
１０  制御部（判別手段，決定手段，制御手段）
１３  読取部
１３ａ  サイズ検知部（検知手段）
１４  第１画像メモリ（記憶手段）
１５  ２値化処理部
１５ａ  解像度変更部（生成手段）
１６  第２画像メモリ（記憶手段）
１８  操作部（設定手段）
２５  記録部（記録手段）
【図１】
2004159002.tif 000003
【図２】
2004159002.tif 000004
【図３】
2004159002.tif 000005
【図４】
2004159002.tif 000006